(57)【要約】【課題】  火災受信機や中継器のプログラム更新を行ったことが容易に確認できるようにするとともに、プログラム未更新の火災受信機や中継器が存在する場合に容易にわかるようにする。【解決手段】  所定の処理を行うためのプログラムが記憶されている記憶手段と各種情報を表示する表示部または各種情報を印字出力する印字装置とを有する火災受信機と、所定の処理を行うためのプログラムが記憶されている記憶手段を有する中継器と、中継器または火災受信機に接続され、監視制御を行う端末機器からなる防災システムにおいて、火災受信機は、火災受信機及び中継器のプログラムに関する情報を収集し、収集した情報を表示部に表示、または印字装置から印字出力する。【選択図】  図５
2005222314.tif 000002
【特許請求の範囲】
【請求項１】
所定の処理を行うためのプログラムが記憶されている記憶手段と各種情報を表示する表示部とを有する火災受信機と、
所定の処理を行うためのプログラムが記憶されている記憶手段を有する中継器と、
前記中継器または前記火災受信機に接続され、監視制御を行う端末機器からなる防災システムにおいて、
前記火災受信機は、火災受信機及び中継器のプログラムに関する情報を収集し、該収集した情報を前記表示部に表示することを特徴とする防災システム。
【請求項２】
前記表示部には収集した現在運用されているプログラムに関する情報と本来使用されるべきプログラムに関する情報とが同時に表示されることを特徴とする請求項１記載の防災システム。
【請求項３】
前記火災受信機は収集した現在運用されているプログラムに関する情報と本来使用されるべきプログラムに関する情報とを比較し、プログラムに関する情報が相違する場合には、相違部分を識別可能に表示することを特徴とする請求項２記載の防災システム。
【請求項４】
所定の処理を行うためのプログラムが記憶されている記憶手段と各種情報を印字出力する印字装置とを有する火災受信機と、
所定の処理を行うためのプログラムが記憶されている記憶手段を有する中継器と、
前記中継器または前記火災受信機に接続され、監視制御を行う端末機器からなる防災システムにおいて、
前記火災受信機は、火災受信機及び中継器のプログラムに関する情報を収集し、該収集した情報を、前記印字装置から印字出力することを特徴とする防災システム。
【請求項５】
前記火災受信機は収集した現在運用されているプログラムに関する情報と本来使用されるべきプログラムに関する情報とを比較し、プログラムに関する情報が相違する場合には、相違部分を識別可能に印字出力することを特徴とする請求項４記載の防災システム。
【発明の詳細な説明】
【技術分野】
【０００１】
本発明は火災受信機と複数の中継器（主中継器）からなる防災システムに関する。
【背景技術】
【０００２】
火災受信機の制御を行うＣＰＵ（中央制御装置）のプログラムの改版番号を表示装置に表示するものが知られている（例えば、特許文献１参照。）。
【特許文献１】特許２８２６１１７号公報（第１頁、第６図）
【発明の開示】
【発明が解決しようとする課題】
【０００３】
特許文献１に記載されているような防災設備では、火災受信機や中継器（主中継器）にＣＰＵを搭載して、あらかじめ記憶されたプログラムに基づいて運用されている。ここで設備の変更や機能強化のためにプログラムを更新する必要が生じることがある。
プログラムの更新を行う際には、ＥＰ−ＲＯＭなどの不揮発性記憶媒体に新しいプログラムを格納し、火災受信機や主中継器の記憶媒体と交換したり、火災受信機や主中継器に設けられたメモリカードスロットに新しいプログラムが記憶されたメモリカードを接続し、記憶媒体に新しいプログラムを書き込むようにしている。
【０００４】
しかし主中継器が複数台設けられているような大規模な防災システムでは、各主中継器全てのプログラムを更新する作業は非常に大変なものであり、時には更新を忘れることもありえる。このようなミスを簡単に把握する方法はなく、結果１台ずつ主中継器を再確認する必要が生じ、非常に手間となっていた。
【０００５】
本発明の課題は、火災受信機や中継器のプログラム更新を行ったことが容易に確認できるようにするとともに、プログラム未更新の火災受信機や中継器が存在する場合に容易にわかるようにすることである。
【課題を解決するための手段】
【０００６】
以上の課題を解決するため、請求項１に記載の発明は、所定の処理を行うためのプログラムが記憶されている記憶手段と各種情報を表示する表示部とを有する火災受信機と、所定の処理を行うためのプログラムが記憶されている記憶手段を有する中継器と、前記中継器または前記火災受信機に接続され、監視制御を行う端末機器からなる防災システムにおいて、前記火災受信機は、火災受信機及び中継器のプログラムに関する情報を収集し、該収集した情報を前記表示部に表示する構成とした。
【０００７】
請求項１に記載の発明によれば、火災受信機や中継器のプログラムに関する情報の確認を容易に行うことができる。
【０００８】
請求項２に記載の発明は、前記表示部には収集した現在運用されているプログラムに関する情報と本来使用されるべきプログラムに関する情報とが同時に表示される構成とした。
【０００９】
請求項２に記載の発明によれば、収集した現在運用されているプログラムに関する情報と本来使用されるべきプログラムに関する情報が同時に表示されるので、火災受信機や中継器のプログラム更新時の間違えや更新し忘れなどを確認することができる。
【００１０】
請求項３に記載の発明は、前記火災受信機は収集した現在運用されているプログラムに関する情報と本来使用されるべきプログラムに関する情報とを比較し、プログラムに関する情報が相違する場合には、相違部分を識別可能に表示する構成とした。
【００１１】
請求項３に記載の発明によれば、プログラム未更新の火災受信機や中継器の存在を容易確認することができる。
【００１２】
請求項４に記載の発明は、所定の処理を行うためのプログラムが記憶されている記憶手段と各種情報を印字出力する印字装置とを有する火災受信機と、所定の処理を行うためのプログラムが記憶されている記憶手段を有する中継器と、前記中継器または前記火災受信機に接続され、監視制御を行う端末機器からなる防災システムにおいて、前記火災受信機は、火災受信機及び中継器のプログラムに関する情報を収集し、該収集した情報を前記印字装置から印字出力する構成とした。
【００１３】
請求項４に記載の発明によれば、火災受信機や中継器のプログラムに関する情報の確認が容易である。
【００１４】
請求項５に記載の発明は、前記火災受信機は収集した現在運用されているプログラムに関する情報と本来使用されるべきプログラムに関する情報とを比較し、プログラムに関する情報が相違する場合には、相違部分を識別可能に印字出力する構成とした。
【００１５】
請求項５に記載の発明によれば、プログラム未更新の火災受信機や中継器の存在を容易に確認することができる。
【発明の効果】
【００１６】
本発明によれば、プログラムに関する情報が表示または印字出力されるので、火災受信機や中継器のプログラムに関する情報の確認が容易に行えるとともに、本来使用されるべきプログラムに関する情報と収集した現在運用されているプログラムに関する情報が同時に表示、または相違点を明示して表示若しくは印字出力されるので、プログラム未更新の火災受信機や主中継器が存在する場合にはその存在を容易に確認することができる。
【発明を実施するための最良の形態】
【００１７】
以下、図を参照して本発明の実施の形態について詳細に説明する。
まず、防災システム１の構成を説明する。図１は防災システム１の構成を示す図である。
【００１８】
防災システム１はシステム全体の制御を行う火災受信機２、主幹線５を介して火災受信機２と接続される複数の主中継器３から構成される。主中継器３には幹線６を介して火災感知器、地区ベル、防排煙機器などの複数の端末機器４が接続されている。なおここでは主中継器３は３台設けられているが、この台数に限られるものではない。
【００１９】
図２は火災受信機２の正面図である。
火災受信機２には、火災や異常などの各種情報を表示するとともに、タッチパネル式のスイッチで構成されている液晶ディスプレイ７、各種操作を行うための押しボタン式のスイッチ８、プリンタからなる印字装置９などが設けられている。
【００２０】
図３は火災受信機２の構成を示す図である。
火災受信機２にはメインＣＰＵ１１、操作部ＣＰＵ２１、サブＣＰＵ３１、主幹線伝送ＣＰＵ４１、電源ＣＰＵ５１がそれぞれ設けられ、各種処理を分散することで効率化するようになっている。
【００２１】
火災受信機２の内部にはメインＣＰＵ１１、ＲＯＭ１２、ＲＡＭ１３、ＣＰＵリセットスイッチ１４、メモリスロット１５が設けられたメインＣＰＵ基板１０、操作部ＣＰＵ２１、ＲＯＭ２２、ＲＡＭ２３が設けられた操作部ＣＰＵ基板２０、サブＣＰＵ３１、ＲＯＭ３２、ＲＡＭ３３が設けられたサブＣＰＵ基板３０、伝送ＣＰＵ４１、ＲＯＭ４２、ＲＡＭ４３が設けられた伝送ＣＰＵ基板４０、電源ＣＰＵ５１、ＲＯＭ５２、ＲＡＭ５３が設けられた電源ＣＰＵ基板５０が設けられている。
【００２２】
各ＣＰＵ基板に設けられた制御プログラムやデータが記憶されているＲＯＭ、運用データ等が記憶されているＲＡＭがそれぞれ各ＣＰＵに接続されるとともに、各ＣＰＵはそれぞれバスによって接続されている。すなわち各ＲＯＭ（ＲＯＭ１２、ＲＯＭ２２、ＲＯＭ３２、ＲＯＭ４２、ＲＯＭ５２）が記憶手段である。
【００２３】
メインＣＰＵ基板１０に設けられたＣＰＵリセットスイッチ１４は手動操作によって火災受信機２を再起動させる際に使用するスイッチであり、メモリカードスロット１５は図示しないメモリカードにより火災受信機２に使用されるプログラムや各種設定データを読み込む際に使用される。
またメインＣＰＵ基板１０には火災受信機２に設けられた液晶ディスプレイ７、印字装置９が接続されている。
【００２４】
メインＣＰＵ１１は収集した火災情報等を液晶ディスプレイ７に表示し、また印字装置９によって印字出力するとともに、液晶ディスプレイ７のタッチパネル操作による各種試験や設定の実行・管理を行っている。さらに火災受信機２のデータ管理も行っている。すなわち、液晶ディスプレイ７が表示部である。
【００２５】
操作部ＣＰＵ基板２０には火災受信機２に設けられたスイッチ８が接続されている。操作部ＣＰＵ２１は火災受信機２のスイッチ８の操作情報をメインＣＰＵ１１に送信したりしている。
【００２６】
サブＣＰＵ３１は火災感知器などの端末機器４からの火災情報をメインＣＰＵ１１に送信したり、メインＣＰＵ１１からの各種試験や設定情報を端末機器４に送信するなどの、メインＣＰＵ１１と端末機器との間のＩ／Ｆとして機能している。
【００２７】
伝送ＣＰＵ４１は、火災受信機２に接続される主中継器３とのＩ／Ｆとして火災情報等の送受信を行うとともに、接続されている主幹線５の状態を監視している。
【００２８】
電源ＣＰＵ基板５０には常時は商用電源により充電され、非常時に火災受信機２に電源を供給する充電池からなる予備電源５４が接続されている。
電源ＣＰＵ５１は商用電源の状態を監視して火災受信機２に電源を供給するとともに、予備電源５４の状態監視や試験を行っている。
【００２９】
図４は主中継器３の構成を示す図である。
主中継器３にはメインＣＰＵ６１、主幹線伝送ＣＰＵ７１、幹線伝送ＣＰＵ８１、電源ＣＰＵ９１がそれぞれ設けられ、各種処理を分散することで効率化するようになっている。
【００３０】
主中継器３の内部にはメインＣＰＵ６１、ＲＯＭ６２、ＲＡＭ６３が設けられたメインＣＰＵ基板６０、主幹線伝送ＣＰＵ７１、ＲＯＭ７２、ＲＡＭ７３が設けられた主幹線伝送ＣＰＵ基板７０、幹線伝送ＣＰＵ８１、ＲＯＭ８２、ＲＡＭ８３が設けられた幹線伝送ＣＰＵ基板８０、電源ＣＰＵ９１、ＲＯＭ９２、ＲＡＭ９３が設けられた電源ＣＰＵ基板９０が設けられている。
【００３１】
各ＣＰＵ基板に設けられた制御プログラムやデータが記憶されているＲＯＭ、運用データ等が記憶されているＲＡＭがそれぞれ各ＣＰＵに接続されるとともに、各ＣＰＵはそれぞれバスによって接続されている。すなわち各ＲＯＭ（ＲＯＭ６２、ＲＯＭ７２、ＲＯＭ８２、ＲＯＭ９２）が記憶手段である。
【００３２】
メインＣＰＵ基板６０には調整時用の設定スイッチ６４、メンテナンス時に使用するメンテナンス用ＰＣを接続するためのＩ／Ｆ６５が設けられている。
メインＣＰＵ６１は主幹線伝送ＣＰＵ７１を介して火災受信機２との火災情報等の送受信を行うとともに、端末機器４との間で連動処理を行っている。また主中継器３の各種データの管理も行っている。
【００３３】
主幹線伝送ＣＰＵ７１は火災受信機２とのＩ／Ｆとして火災情報や連動情報等の送受信を行うとともに、接続されている主幹線５の状態を監視している。
【００３４】
幹線伝送ＣＰＵ８１は火災感知器等の端末機器４の発報情報や防排煙機器等の端末機器４の連動情報の送受信を行うとともに接続されている幹線６の状態を監視している。
【００３５】
電源ＣＰＵ基板９０には常時は商用電源により充電され、非常時に主中継器３に電源を供給する充電池からなる予備電源９４が接続されている。
電源ＣＰＵ９１は商用電源の状態を監視して主中継器３に電源を供給するとともに、火災受信機２からのコマンドにより予備電源９４の電源試験を行ったり、電源に関する異常情報をメインＣＰＵ６１を介して火災受信機２に送信したりしている。
【００３６】
防災システム１の動作を説明する。
通常の防災システム１の運用時において火災が発生すると火災受信機２で警報を行うとともに、発報した端末機器（火災感知器等）４が接続されている主中継器３において、連動設定に基づき端末機器（防排煙機器等）４の連動動作を行う。
【００３７】
次に防災システム１の起動時の動作について説明する。
主電源のオンまたはメインＣＰＵ１１のリセットにより火災受信機２が起動すると、火災受信機２のメインＣＰＵ１１は火災受信機２の中の他の各ＣＰＵとの間で初期化処理を行い、各ＣＰＵの制御プログラムに関する情報（例えばバージョン）を各ＲＯＭから収集し、ＲＯＭ１２に記憶する。
【００３８】
また火災受信機２の主電源のオンまたはメインＣＰＵ１１のリセットにより主中継器３が起動すると、主中継器３のメインＣＰＵ６１は主中継器３の中の他のＣＰＵとの間で初期化処理を行い、各ＣＰＵの制御プログラムに関する情報（例えばバージョン）を各ＲＯＭから収集し、ＲＯＭ６２に記憶する。
【００３９】
ここで火災受信機２のサブＣＰＵ３１はメインＣＰＵ１１との初期化処理終了後、全ての主中継器３に対してプログラムに関する情報を収集するプログラム情報収集コマンドを送出する。プログラム情報収集コマンドを受信した主中継器３はＲＯＭ６２に記憶されている全ＣＰＵのプログラムに関する情報を火災受信機２のサブＣＰＵ３１に送信する。その後各主中継器３から収集されたプログラムに関する情報は火災受信機２のサブＣＰＵ３１１からメインＣＰＵ１１に送信され、火災受信機のプログラムに関する情報とともにＲＯＭ１２に記憶される。
【００４０】
このようにして収集された火災受信機２や主中継器３のプログラムに関する情報は、所定の操作により液晶ディスプレイ７に画面表示を行ったり、印字装置９による印字出力を行うことができ、図５に示すようなプログラム情報表示画面１０１、図６に示すようなプログラム情報印字出力１１１により、現在防災システム１において使用されているプログラムに関する情報を明確に確認することができる。なお具体的なプログラム情報表示画面１０１およびプログラム情報印字出力１１１の内容については後述する。
【００４１】
火災受信機２および主中継器３のプログラム更新時の動作について説明する。火災受信機２のプログラムを更新する場合には、更新プログラムが収納されているメモリカード（図示せず）をメモリカードスロット１５に収納し、火災受信機２の電源をオンにする。
その後液晶ディスプレイ７のタッチパネルから所定の操作を行うことで、メモリカード内の更新プログラムがメインＣＰＵ１１の制御により、火災受信機２の各ＣＰＵのＲＯＭに記憶される。
【００４２】
また更新プログラムとは別にメモリカードにあらかじめ用意しておいた使用されるべきプログラムに関する情報の情報の更新を行う。更新プログラムの更新時と同様に液晶ディスプレイ７のタッチパネルから所定の操作を行うことで、メモリカード内の使用されるべきプログラムに関する情報がメインＣＰＵ１１の制御によりＲＯＭ１２に記憶される。
【００４３】
この使用されるべきプログラムに関する情報には火災受信機２に使用されるプログラムに関する情報だけではなく、各主中継器３に使用されるべきプログラム情報に関する情報も含まれている。使用されるべきプログラムに関する情報の更新はプログラムの更新前に行っても、更新後に行ってもよく、またプログラムの更新と同時に行っても、別の時に行ってもよい。
【００４４】
更新プログラムが火災受信機２および各主中継器３の各ＣＰＵのＲＯＭに記憶された後、または使用されるべきプログラム情報がＲＯＭ１２に記憶された後、メモリカードスロット１５に収納されたメモリカードを取り外しておく。
【００４５】
主中継器３のプログラムを更新する場合には、Ｉ／Ｆ６５を介してメンテナンス用パソコン６６をメインＣＰＵ基板６０と接続し、メインＣＰＵ基板６０上の設定スイッチ６４（例えばジャンパーピンやディップスイッチなど）の設定を変更した上で更新プログラムをロードさせる。
【００４６】
メンテナンス用パソコン６６内の更新プログラムがロードされることにより、各ＣＰＵのＲＯＭに更新プログラムが記憶される。更新プログラムのロード終了後、設定スイッチ６４の設定を元に戻しておく。
【００４７】
このようにして火災受信機２および各主中継器３のプログラムの更新が終了した後、火災受信機２のメインＣＰＵ基板１０に設けられたＣＰＵリセットスイッチ１４を操作してシステムを再起動させることにより、更新されたプログラムに基づいて防災システム１が運用されるようになる。
【００４８】
なお、火災受信機２や主中継器３の各ＲＯＭには書き換え可能な不揮発性メモリ（ＦＰＲＯＭ，ＥＥＰＲＯＭ等）を使用すると都合がよい。また、更新プログラムを運用用の各ＲＡＭに記憶するようにしてもよい。
【００４９】
図５はプログラム情報画面１０１の一例である。なお、本発明の趣旨と関連のない部分についての説明は省略する。またプログラム情報画面１０１で表示されるプログラムに関する情報は火災受信機２および主中継器３の各ＣＰＵを制御するプログラムのものであるが、それ以外のプログラムに関する情報であってもよい。
【００５０】
火災受信機２の液晶ディスプレイ７のタッチパネルからの操作により、ＲＯＭ１２内に記憶されている火災受信機２の現在運用されているプログラムに関する情報、主中継器３の現在運用されているプログラムに関する情報、火災受信機２の本来使用されるべきプログラムに関する情報、主中継器３の本来使用されるべきプログラムに関する情報が読み出され、プログラム情報画面１０１が表示される。プログラム情報画面１０１では火災受信機２と主中継器３の現在運用されているプログラムに関する情報と本来使用されるべきプログラムに関する情報とが表示されているが、現在運用されているプログラムに関する情報のみが表示されるようにしてもよい。
【００５１】
プログラム情報画面１０１の左側には、火災受信機２の現在運用されているプログラムに関する情報（プログラムのバージョン）１０２及び主中継器３の現在運用されているプログラムに関する情報（プログラムのバージョン）１０３が表示される。なお主中継器３が複数設けられている場合にはスクロールボタン１０４、１０５により別の主中継器３の現在運用されているプログラムに関する情報を表示することができる。
【００５２】
なお火災受信機２において使用されていないＣＰＵ（例えば電源３：）がある場合には現在運用されているプログラムに関する情報は表示されない。またこの現在運用されているプログラムに関する情報表示１０２、１０３によれば、火災受信機２および主中継器３において電源ＣＰＵ５１が実際には２つ使用されていることがわかる。
【００５３】
プログラム情報画面１０１の右側上部から中央部にかけて、火災受信機２の本来使用されるべきプログラムに関する情報１０６及び主中継器３の本来使用されるべきプログラムに関する情報１０７が表示される。
プログラム情報画面１０１の右側下部には、リスト印字スイッチ１０８、リスト印字停止スイッチ１０９、戻りスイッチ１１０が設けられている。
【００５４】
ここでＲＯＭ１２内に記憶されている火災受信機２の現在運用されているプログラムに関する情報、主中継器３の現在運用されているプログラムに関する情報、火災受信機２の本来使用されるべきプログラムに関する情報、主中継器３の本来使用されるべきプログラムに関する情報を読み出す際に、メインＣＰＵ１１は現在運用されているプログラムに関する情報と本来使用されるべきプログラムに関する情報とを比較し、例えば現在運用されているプログラムに関する情報表示１０２の電源２：や現在運用されているプログラムに関する情報表示１０３の電源２：のように、下線が表示されている部分は、現在運用されているプログラムに関する情報が本来使用されるべきプログラムに関する情報と相違していることを示すものである。
なお相違部分の表示に関しては下線に限らず、文字色の変化、強調表示など、相違点がわかるような形であればよい。
【００５５】
図６はプログラム情報印字出力１１１の一例である。なお、本発明の趣旨と関連のない部分についての説明は省略する。またプログラム情報印字出力１１１のプログラムに関する情報は火災受信機２および主中継器３の各ＣＰＵを制御するプログラムのものであるが、それ以外のプログラムに関する情報であってもよい。
【００５６】
火災受信機２の液晶ディスプレイ７のタッチパネルからの操作により、ＲＯＭ１２内に記憶されている火災受信機２の現在運用されているプログラムに関する情報、主中継器３の現在運用されているプログラムに関する情報、火災受信機２の本来使用されるべきプログラムに関する情報、主中継器３の本来使用されるべきプログラムに関する情報が読み出され、印字出力処理を行うことにより、プログラム情報印字出力１１１が表示される。プログラム情報印字出力１１１には火災受信機２及び主中継器３の現在運用されているプログラムに関する情報（プログラムのバージョン）が表示される。なお主中継器３が複数設けられている場合には順番に印字出力される。
【００５７】
ここでＲＯＭ１２内に記憶されている火災受信機２の現在運用されているプログラムに関する情報、主中継器３の現在運用されているプログラムに関する情報、火災受信機２の本来使用されるべきプログラムに関する情報、主中継器３の本来使用されるべきプログラムに関する情報を読み出す際に、メインＣＰＵ１１は現在運用されているプログラムに関する情報と本来使用されるべきプログラムに関する情報とを比較し、例えば火災受信機２の電源２：やＭＲＳ−０１（主中継器３）の電源２：のようにプログラム情報印字出力１１１において反転印字されている部分は、現在運用されているプログラムに関する情報が本来使用されるべきプログラムに関する情報と相違していることを示すものである。
なお相違部分の表示に関しては下線に限らず、文字サイズやフォントの変化、強調表示など、相違点がわかるような形であればよい。
【００５８】
プログラムに関する情報が相違する原因としては火災受信機２または主中継器３のプログラムの更新を忘れた場合やメモリカード内の更新プログラムの異常などがあるが、このように相違部分が明確に識別されるのでプログラムの修正を行う場合に確認が容易である。
【００５９】
なお火災受信機２のプログラムを更新する際にメモリカードを使用しているがこれ以外の方法でもよく、また主中継器３のプログラムの更新にメンテナンス用パソコン６６を使用しているがこれ以外の方法でもよい。
【図面の簡単な説明】
【００６０】
【図１】防災システムの構成を示す図である。
【図２】火災受信機の正面図である。
【図３】火災受信機の構成を示すブロック図である。
【図４】主中継器の構成を示すブロック図である。
【図５】プログラム情報表示画面を示す図である。
【図６】プログラム情報印字出力を示す図である。
【符号の説明】
【００６１】
１      防災システム
２      火災受信機
３      主中継器（中継器）
７      液晶ディスプレイ（表示部）
９      印字装置
１１      （火災受信機の）メインＣＰＵ
１２      ＲＯＭ（記憶手段）
１４      リセットスイッチ
１５      メモリカードスロット
６１      （主中継器の）メインＣＰＵ
６２      ＲＯＭ（記憶手段）
６４      設定スイッチ
６６      メンテナンス用パソコン
１０１      プログラム情報画面
１０２      火災受信機２の現在運用されているプログラムに関する情報
１０３      主中継器３の現在運用されているプログラムに関する情報
１０６      火災受信機２の本来使用されるべきプログラムに関する情報
１０７      主中継器３の本来使用されるべきプログラムに関する情報
１１１      印字出力
【図１】
2005222314.tif 000003
【図２】
2005222314.tif 000004
【図３】
2005222314.tif 000005
【図４】
2005222314.tif 000006
【図５】
2005222314.tif 000007
【図６】
2005222314.tif 000008